(57)【要約】【課題】    被装着体のパレットの厚さが異なっていれば、既存のパレット枠の装着は不可能となる、又、規格の許容範囲以内の誤差が原因で、装着したパレット枠の支柱の揺れが大きくなっても、揺れを小さくする調整は不可能であった、又、木製パレットの場合では面板が並列に張りつけてある為、衝撃によって菱形に変形する度合いが高くなる現象がある。【解決手段】    本願発明は、上記の技術課題を解決する為、支柱を、厚さが異なるパレットにも同じ場所にある直角側面へ密着可能とする為、当該パレットの下敷きとなる、支柱下部板図１９、図２０で示す２Ｋを除去した形にして、且つ、支柱の下部では、当該パレット９の直角側面に密着する部分を、それぞれの支柱下部固定器具で圧着効果が出せる寸法とする構造にした。又、支柱下部固定器具には調整可能な調整ネジを接合した。又、被装着体のパレット上面の直角部が、変形し難い強度に強化できる、支柱下部固定器具も発明した。【選択図】図７
2007297136.tif 000002
【特許請求の範囲】
【請求項１】
パレットの外周角部に立説される４本のアングル型支柱の、上部では、上部ポケットに上部固定器具の爪部が入って固定され、下部では、支柱の下部ポケットに爪部付き支柱下部固定器具の爪部が入って固定される。又は、下部ポケットが無い場合は、支柱外周側より圧着可能な調整可能支柱下部固定器具、又は、調整不可支柱下部固定器具で固定されるパレット枠において、当該の支柱では、支柱側に設けられた定礎となるパレット押え板図１、７で示す７で、被装着体のパレット四隅の上面を足場にして立説されるが、厚さが異なるパレットにも同じ場所にある直角側面へ密着可能とするため、当該パレットの下敷きとなる支柱下部板図１９、２０で示す２Ｋを除去した形にして、且つ、支柱下部では当該パレットの直角側面に密着する部分を、それぞれの支柱下部固定器具で圧着効果が出せる寸法の形を特徴とした構造のパレット枠。
【請求項２】
パレットの外周角部に立説される４本のアングル型支柱の、上部では、上部ポケットに上部固定器具の爪部が入って固定され、下部では、支柱の下部ポケットに爪部付き支柱下部固定器具の爪部が入って固定されるパレット枠において、支柱の下部を固定するため当該の爪部付き支柱下部固定器具では、パレットの直角側面と支柱の密着度を調整できるように、それぞれの連結バ−の両端に爪部と雄ネジ、爪部と雌ネジをそれぞれ接合して、組立て時は掴んだ爪部の回転が、接合されたネジ部によって、当該器具の結合と、パレットの直角側面と支柱を密着させる有効距離の調整ができ、装着中はその爪部がポケットに差し込まれている為にネジ部の回転ができなくなる形を特徴とした構造のパレット枠。
【請求項３】
パレットの外周角部に立説される４本のアングル型支柱の、上部では、上部ポケットに上部固定器具の爪部が入って固定され、下部では、下部ポケットが無い支柱外周側より支柱下部固定器具が圧着して固定されるパレット枠において、調整可能支柱下部固定器具が二分される器具の結合部となるそれぞれの端末に、結合と調整用の雌ネジと合う、雄ネジがそれぞれ接合され、当該器具の結合とパレットの直角側面と支柱の密着度を調整するための当該の板付き調整ネジでは、左右が逆ネジとなっている二種類の雌ネジをハンドルとなる板部に直列となる形で接合して、未装着時だけ別途の道具が無くてもその板部を掴んでの回転で、パレットの直角側面と支柱を密着させる有効距離の調整ができ、装着中はハンドルとなる板部が被装着体のパレットに当接してネジ部の回転ができなくなる形を特徴とした構造のパレット枠。
【請求項４】
パレットの外周角部に立説される４本のアングル型支柱の、上部では、上部ポケットに上部固定器具の爪部が入って固定され、下部では、下部ポケットが無い支柱外周側より支柱下部固定器具が圧着して固定されるパレット枠において、調整可能支柱下部固定器具が二分される器具の結合部となるそれぞれの端末に、結合と調整用の雌ネジと合う、雄ネジがそれぞれ接合され、当該器具の結合とパレットの直角側面と支柱の密着度を調整する為に、左右が逆ネジとなっている二種類の雌ネジを、ハンドルとなる板部に直列となる形で接合して、未装着時だけ別途の道具が無くてもその板部を掴んでの回転で、パレットの直角側面と支柱を密着させる有効距離の調整ができ、装着中はハンドルとなる板部が被装着体のパレットに当接してネジ部の回転ができなくなる請求項３の板付き調整ネジを、分解時に二分した当該器具のそれぞれ片側の結合部端末に、一つずつ付いたままとなる形に変更した当該の板付き非対称調整ネジでは、片側のネジと背反する反対側の逆ネジにおいて、片側だけネジの有効距離に差を付ける。又は、片側だけネジピッチが異なる非対称となる形を特徴とした構造のパレット枠。
【請求項５】
パレットの外周角部に立説される４本のアングル型支柱の、上部では、上部ポケットに上部固定器具の爪部が入って固定され、下部では、下部ポケットが無い支柱外周側より支柱下部固定器具が圧着して固定されるパレット枠において、調整可能支柱下部固定器具が二分される器具の結合部となるそれぞれの端末に、結合と調整用の雌ネジと合う、雄ネジがそれぞれ接合され、当該器具の結合とパレットの直角側面と支柱の密着度を調整するための調整ネジとして、左右が逆ネジとなっている二種類の雌ネジを、ハンドルとなる板部に直列となる形で接合して、未装着時だけ別途の道具が無くてもその板部を掴んでの回転で、パレットの直角側面と支柱を密着させる有効距離の調整ができ、装着中はハンドルとなる板部が被装着体のパレットに当接してネジ部の回転ができなくなる当該の調整可能支柱下部固定器具では、調整ネジ二組で、二分された当該器具の結合とパレットの直角側面と支柱の密着度を調整するために、請求項３の板付き調整ネジ、又は、請求項４の板付き非対称調製ネジの回転動作による張力が、それぞれの当該器具の角の対角線に添う形にある、斜め補強を伝わって、当該の対辺にもその張力が働く位置まで斜め補強がそれぞれ接合されて、二分される器具の結合部となるそれぞれの端末に、一つずつの調製ネジで結合させて一体となる形を特徴とした構造のパレット枠。
【請求項６】
パレットの外周角部に立説される４本のアングル型支柱の、上部では、上部ポケットに上部固定器具の爪部が入って固定され、下部では、下部ポケットが無い支柱外周側より支柱下部固定器具が圧着して固定されるパレット枠において、当該の補強付き調整不可支柱下部固定器具では、パレット枠の支柱が密着するパレット角部の直角を維持させる為に効果が出る斜め補強が、被装着体のパレットを囲む辺側となるパレット枠の支柱間の外周辺側より、支柱下部固定器具の角の対角線に添う対辺の位置まで、それぞれ接合される形を特徴とした構造のパレット枠。
【発明の詳細な説明】
【技術分野】
【０００１】    本発明は、被装着体のパレットの厚さ又は許容範囲以内での寸法が異なっていても、当該のパレットの直角側面とパレット枠支柱を密着させる構造を有することで、一つのパレット枠を異寸法のパレットにも共用できる事を特徴とする技術を備えた器具に関するものである。
【背景技術】
【０００２】    従来技術の平５−７１５０発明の名称荷役用パレット枠と、特開２０００−９５２４４発明の名称パレットサポ−タ−、と、本願発明者と同じ発明者出願の特願２００５−８７０６０発明の名称荷物積載中でも分離可能なパレット枠等は、何れも、被装着体のパレットの厚さが異なっていれば、既存のパレット枠の装着は不可能となるため、利用者は購入コストが高くなるが、最低基準でも同じ厚さのパレットを揃える必要が生じている。【０００３】    又、上記の従来技術では、被装着体のパレットおいて、規格の許容範囲以内の誤差が原因で、装着したパレット枠の支柱の揺れが大きくなっても、揺れを小さくする調整は不可能である。【０００４】    又、上記の従来技術は、木製パレットの場合は面板が並列に張りつけてある為、衝撃によって菱形に変形する度合いが高いので、その変形負荷が使用頻度に比例して、支柱の密着度を劣化させる影響もあり、使用頻度の多いパレット枠ほど支柱の揺れが大きくなる現象がある。
【発明の開示】
【発明が解決しようとする課題】
【０００５】    課題１、被装着体の通常規格のパレットでは、幅と奥行きが同じ規格でも、厚さでは二桁ミリも異なる場合があるので、利用者側では、被装着体のパレットの厚さ等が異なっていても一種類で共用できるパレット枠が必要とされている。【０００６】    課題２の、被装着体のパレットにおいて、規格の許容範囲以内の誤差が原因で、装着したパレット枠の支柱の揺れが大きくなっても、従来型の固定型の支柱下部固定器具ではパレットの直角側面と支柱とを密着させる微調整もできないので、利用者側では、別途の道具を使わなくても、必要時に現場で、揺れを小さくする微調整が可能なパレット枠が必要とされている。【０００７】    課題３、従来の技術では、木製パレットは面板が並列に張りつけてある為、衝撃によって菱形に変形する度合いが高いので、その変形負荷が使用頻度に比例して、支柱の密着度を劣化させる影響もあり、使用頻度の多いパレット枠ほど、支柱の揺れが大きくなる現象がある為、パレットとリフトが衝突しても変形し難いパレットの強度が強化されるパレット枠が必要とされている。
【課題を解決する為の手段】
【０００８】    本発明は、上記の技術課題を解決するために、図１で示すように、パレットの外周角部に立説される４本のアングル型支柱の上部では、上部ポケットに上部固定器具の爪部が入って固定され、下部では、下部ポケットに爪部付き支柱下部固定器具の爪部が入って固定される。又は、下部ポケットが無い場合は、支柱外周側より圧着可能な調整可能支柱下部固定器具、又は、調整不可支柱下部固定器具で固定されるパレット枠において、当該の支柱では、支柱側に設けられた定礎となる、パレット押え板図１、７で示す７で、被装着体のパレット９の四隅の上面を足場にして立説されるが、厚さが異なるパレットにも同じ場所にある直角側面へ密着可能とする為、当該パレット９の下敷きとなる、支柱下部板図１９、２０で示す２Ｋを除去した形にして、且つ、支柱の下部では、当該パレット９の直角側面に密着する部分を、それぞれの支柱下部固定器具で圧着効果が出せる寸法にした形を特徴とした構造のパレット枠を発明した。
【０００９】    又、被装着体のパレット９上面の直角部が、変形し難い強度に強化できる、支柱下部固定器具図１５を具備したパレット枠も発明した。詳細は以下である。
【００１０】    本願発明の請求項１では、パレット９の外周角部に立説される４本のアングル型支柱図１、２、３、４で示す１、又は、図７、８で示す１０での、上部では、上部ポケット５に上部固定器具８の爪部が入って固定され、下部では、支柱図１、２で示す１の下部ポケット４に、爪部付き支柱下部固定器具の爪部図５で示す２１が入って固定される。又は、下部ポケットが無い場合は、図７で示すように支柱外周側より圧着可能な調整可能支柱下部固定器具１１又は、図１５で示す調整不可支柱下部固定器具１９で固定されるパレット枠において、当該の支柱図７で示す１０では、支柱側に設けられた定礎となるパレット押え板図１、７で示す７で、被装着体のパレット９の四隅の上面を足場にして立説されるが厚さが異なるパレットにも同じ場所にある直角側面へ密着可能とする為、当該パレット９の下敷きとなる支柱下部板図１９、２０で示す２Ｋを除去した形にして且つ、支柱図１で示す１又は、図７で示す１０の下部では、当該パレット９の直角側面に密着する部分を、それぞれの支柱下部固定器具で圧着効果が出せる寸法の形を特徴とした構造のパレット枠になる。
【００１１】    本願発明の請求項２では、パレット９の外周角部に立説される４本のアングル型支柱図１、２、３、４で示す１、又は、図７、８で示す１０での、上部では、上部ポケット５に上部固定器具８の爪部が入って固定され、下部では、支柱図１、図２で示す１の下部ポケット４に爪部が入って固定されるパレット枠において、支柱の下部を固定するため、当該の爪部付き支柱下部固定器具図５では、パレット９の直角側面と支柱図１で示す１、又は、図７で示す１０の密着度を調整できるように、それぞれの連結バ−図５で示す２の両端に爪部２１と雄ネジ２２、爪部２１と雌ネジ２３をそれぞれ接合して、組立て時は掴んだ爪部２１の回転が接合されたネジ部によって、当該器具図５で示す２の結合とパレット
2007297136.tif 000003
ット４に差し込まれている為に、ネジ部３の回転ができなくなる形を特徴とした構造のパレット枠になる。
【００１２】    本願発明の請求項３では、パレット９の外周角部に立説される４本のアングル型支柱図１、２、３、４で示す１、又は、図７、８で示す１０での、上部では、上部ポケット５に上部固定器具８の爪部が入って固定され、下部では、下部ポケットが無い場合は支柱外周側より支柱下部固定器具が圧着して固定されるパレット枠において、調整可能支柱下部固定器具が二分される当該器具図１１で示す１１の結合部となるそれぞれの端末に、結合と調整用の雌ネジ図１２で示す１４、１５と合う、雄ネジがそれぞれ接合され、当該器具１１の結合とパレット９の直角側面と支柱１０の密着度を調整するための当該の板付き調整ネジ図１１、１２で示す１３では、左右が逆ネジとなっている二種類の雌ネジ図１２で示す１４、１５をハンドルとなる板部に直列となる形で接合して、未装着時だけ別途の道具が無くてもその板部１３を掴んでの回転で、パレット９の直角側面と支柱１０を密着させる有効距離の調整ができ、装着中はハンドルとなる板部１３が被装着体のパレット９に当接してネジ部の回転ができなくなる形を特徴とした構造のパレット枠になる。
【００１３】    本願発明の請求項４では、パレット９の外周角部に立説される４本のアングル型支柱図１、２、３、４で示す１、又は、図７、８で示す１０での、上部では、上部ポケット５に上部固定器具８の爪部が入って固定され、下部では、下部ポケットが無い場合は支柱外周側より支柱下部固定器具が圧着して固定されるパレット枠において、調整可能支柱下部固定器具が二分される当該器具図１１で示す１１の結合部となるそれぞれの端末に、結合と調整用の雌ネジ図１２で示す１４、１５と合う、雄ネジがそれぞれ接合され、当該器具１１の結合とパレット９の直角側面と支柱１０の密着度を調整するために、左右が逆ネジとなっている二種類の雌ネジ図１２で示す１４、１５をハンドルとなる板部に直列となる形で接合して、未装着時だけ別途の道具が無くてもその板部１３を掴んでの回転で、パレット９の直角側面と支柱１０を密着させる有効距離の調整ができ、装着中はハンドルとなる板部１３が被装着体のパレット９に当接してネジ部の回転ができなくなる請求項３の板付き調整ネジ図１２で示す１３を、分解時に二分した当該器具図１３のそれぞれ片側の結合部端末に、一つずつ付いたままとなる形に変更した当該の板付き非対称調整ネジ図１４で示す１６では、片側のネジ１７と背反する反対側の逆ネジ１８において、片側だけネジの有効距離に差を付ける。又は、片側だけネジピッチが異なる非対称となる形を特徴とした構造のパレット枠になる。
【００１４】    本願発明の請求項５では、パレット９の外周角部に立説される４本のアングル型支柱図１、２、３、４で示す１、又は、図７、８で示す１０での、上部では、上部ポケット５に上部固定器具８の爪部が入って固定され、下部では、下部ポケットが無い場合は支柱外周側より支柱下部固定器具が圧着して固定されるパレット枠において、調整可能支柱下部固定器具が二分される当該器具図１１で示す１１の結合部となるそれぞれの端末に、結合と調整用の雌ネジ図１２で示す１４、１５、又は、図１４で示す１７、１８と合う、雄ネジがそれぞれ接合され、当該器具１１の結合とパレット９の直角側面と支柱１０の密着度を調整するための調整ネジとして、左右が逆ネジとなっている二種類の雌ネジ図１２で示す１４、１５、又は、図１４で示す１７、１８をハンドルとなる板部に直列となる形で接合して、未装着時だけ別途の道具が無くてもその板部１３、又は、１６を掴んでの回転で、パレット９の直角側面と支柱１０を密着させる有効距離の調整ができ、装着中はハンドルとなる板部１３が被装着体のパレット９に当接してネジ部の回転ができなくなる当該の調整可能支柱下部固定器具では、調整ネジ二組で、二分された当該器具の結合とパレット９の直角側面と支柱１又は１０の密着度を調整するために、請求項３の板付き調整ネジ図１２で示す１３、又は、請求項４の板付き非対称調製ネジ図１４で示す１６の回転動作による張力が、それぞれの当該器具図１１、１３で示すの角の対角線に添う形にある、斜め補強１２を伝わって、当該の対辺にもその張力が働く位置まで斜め補強１２がそれぞれ接合されて、二分される器具の結合部となるそれぞれの端末に、一つずつの調製ネジで結合させて一体となる形を特徴とした構造のパレット枠になる。
【００１５】    本願発明の請求項６では、パレット９の外周角部に立説される４本のアングル型支柱図１、２、３、４で示す１、又は、図７、８で示す１０での、上部では、上部ポケット５に上部固定器具８の爪部が入って固定され、下部では、下部ポケットが無い場合は支柱外周側より支柱下部固定器具が圧着して固定されるパレット枠において、当該の補強付き調整不可支柱下部固定器具図１５で示す１９では、パレット枠の支柱１０が密着するパレット９角部の直角を維持させる為に効果が出る、斜め補強図１５で示す２０が、被装着体のパレット９を囲む辺側となるパレット枠の支柱図７で示す１０間の外周辺側より支柱下部固定器具図１５の角の対角線に添う対辺の位置まで、それぞれ接合される形を特徴とした構造のパレット枠になる。
【発明の効果】
【００１６】    本願発明の請求項１によって、当該の支柱図７で示す１０では、支柱側に設けられた定礎となるパレット押え板図１、７で示す７で、被装着体のパレット９の四隅の上面を足場にして立説されるが、厚さが異なるパレットにも同じ場所にある直角側面へ密着可能とする為、当該パレット９の下敷きとなる支柱下部板図１９、２０で示す２Ｋを除去した形にして且つ、支柱図１で示す１又は、図７で示す１０の下部では、当該パレット９の直角側面に密着する部分を、それぞれの支柱下部固定器具で圧着効果が出せる寸法の形を特徴とした構造のパレット枠になる効果で、上記した従来の技術では不可能であった、厚さが異なる複数のパレット９に同一のパレット枠の着用が可能となるので、課題１の、被装着体の通常規格のパレットでは、幅と奥行きが同じ規格でも、厚さでは二桁ミリも異なる場合があるので、利用者側では、被装着体のパレットの厚さ等が異なっていても一種類で共用できるパレット枠が必要とされている。が、解決される。
【００１７】    本願発明の請求項２によって、支柱の下部を固定するため、当該の爪部付き支柱下部固定器具図５では、パレット９の直角側面と支柱図１で示す１、又は、図７で示す１０の密着度を調整できるように、それぞれの連結バ−図５で示す２の両端に爪部２１と雄ネジ２２、爪部２１と雌ネジ２３をそれぞれ接合して、組立て時は掴んだ爪部２１の回転が接合されたネジ部によって、当該器具図５で示す２の結合とパレット９の直角側面と支柱１を密着させる有効距離の調整ができ、装着中はその爪部２１がポケット４に差し込まれている為に、ネジ部３の回転ができなくなる形を特徴とする構造にした効果で、荷物積載中でも分離可能型のパレット枠でも、密着度が原因の支柱揺れを防止する調整が可能となり課題２の、被装着体のパレットにおいて、規格の許容範囲以内の誤差が原因で、装着したパレット枠の支柱の揺れが大きくなっても、従来型の固定型の支柱下部固定器具では、パレットの直角側面と支柱とを密着させる微調整もできないので、利用者側では別途の道具を使わなくても、必要時に現場で、揺れを小さくする微調整が可能なパレット枠が必要とされている。が、解決される。
【００１８】    本願発明の請求項３によって、調整可能支柱下部固定器具が二分される当該器具図１１で示す１１の結合部となるそれぞれの端末に、結合と調整用の雌ネジ図１２で示す１４、１５と合う、雄ネジがそれぞれ接合され、当該器具１１の結合とパレット９の直角側面と支柱１０の密着度を調整するための当該の板付き調整ネジ図１１、１２で示す１３では左右が逆ネジとなっている二種類の雌ネジ図１２で示す１４、１５をハンドルとなる板部に直列となる形で接合して、未装着時だけ別途の道具が無くてもその板部１３を掴んでの回転で、パレット９の直角側面と支柱１０を密着させる有効距離の調整ができる形が特徴となる構造とした効果で、課題２の、被装着体のパレットにおいて、規格の許容範囲以内の誤差が原因で、装着したパレット枠の支柱の揺れが大きくなっても、従来型の固定型の支柱下部固定器具では、パレットの直角側面と支柱とを密着させる微調整もできないので利用者側では、別途の道具を使わなくても、必要時に現場で、揺れを小さくする微調整が可能なパレット枠が必要とされている。が、解決される。
【００１９】    且つ、装着中はハンドルとなる板部図１０で示す１３が被装着体のパレット９に当接して、当該の調整ネジ１３の回転ができなくなる形を特徴とする構造で、装着中はネジ部の回転ができなくなる効果も追加できる。
【００２０】    本願発明の請求項４によって、調整可能支柱下部固定器具が二分される、当該器具図１１で示す１１の結合部となるそれぞれの端末に、結合と調整用の雌ネジ図１２で示す１４、１５と合う、雄ネジがそれぞれ接合され、当該器具１１の結合とパレット９の直角側面と支柱１０の密着度を調整するために、左右が逆ネジとなっている二種類の雌ネジ図１２で示す１４、１５をハンドルとなる板部に直列となる形で接合して、未装着時だけ別途の道具が無くてもその板部１３を掴んでの回転で、パレット９の直角側面と支柱１０を密着させる有効距離の調整ができ、装着中はハンドルとなる板部１３が被装着体のパレット９に当接してネジ部の回転ができなくなる請求項３の板付き調整ネジ図１２で示す１３を、分解時に二分した当該器具図１３のそれぞれ片側の結合部端末に、一つずつ付いたままとなる形に変更した当該の板付き非対称調整ネジ図１４で示す１６では、片側のネジ１７と背反する反対側の逆ネジ１８において、片側だけネジの有効距離に差を付ける。又は、片側だけネジピッチが異なる非対称となる形を特徴とする構造とした効果で、課題２の、被装着体のパレットにおいて、規格の許容範囲以内の誤差が原因で、装着したパレット枠の支柱の揺れが大きくなっても、従来型の固定型の支柱下部固定器具では、パレットの直角側面と支柱とを密着させる微調整もできないので、利用者側では、別途の道具を使わなくても、必要時に現場で、揺れを小さくする微調整が可能なパレット枠が必要とされている。が、解決される。
【００２１】    且つ、分解時に多発する当該部品の散逸を防止できる効果も追加できる。
【００２２】    本願発明の請求項５によって、調整可能支柱下部固定器具が二分される当該器具図１１で示す１１の結合部となるそれぞれの端末に、結合と調整用の雌ネジ図１２で示す１４、１５、又は、図１４で示す１７、１８と合う、雄ネジがそれぞれ接合され、当該器具１１の結合とパレット９の直角側面と支柱１０の密着度を調整するための調整ネジとして、左右が逆ネジとなっている二種類の雌ネジ図１２で示す１４、１５、又は、図１４で示す１７、１８をハンドルとなる板部に直列となる形で接合して、未装着時だけ別途の道具が無くてもその板部１３、又は、１６を掴んでの回転で、パレット９の直角側面と支柱１０を密着させる有効距離の調整ができ、装着中はハンドルとなる板部１３が被装着体のパレット９に当接してネジ部の回転ができなくなる当該の調整可能支柱下部固定器具では、調整ネジ二組で、二分された当該器具の結合とパレット９の直角側面と支柱１又は１０の密着度を調整するために、請求項３の板付き調整ネジ図１２で示す１３、又は、請求項４の板付き非対称調製ネジ図１４で示す１６の回転動作による張力が、それぞれの当該器具図１１、図１３で示すの角の対角線に添う形にある、斜め補強１２を伝わって、当該の対辺にもその張力が働く位置まで斜め補強１２がそれぞれ接合されて、二分される器具の結合部となるそれぞれの端末に、一つずつの調製ネジで結合させて一体となる形を特徴とする構造にした効果で、課題２の、被装着体のパレットにおいて、規格の許容範囲以内の誤差が原因で、装着したパレット枠の支柱の揺れが大きくなっても、従来型の固定型の支柱下部固定器具では、パレットの直角側面と支柱とを密着させる微調整もできないので、利用者側では、別途の道具を使わなくても、必要時に現場で揺れを小さくする微調整が可能なパレット枠が必要とされている。が、解決される。
【００２３】    且つ、二組の調整ネジだけで、当該の調整可能支柱下部固定器具の結合と調整が可能となる効果も追加できる。
【００２４】    本願発明の請求項６によって、当該の補強付き調整不可支柱下部固定器具図１５で示す１９を、パレット枠の支柱１０が密着するパレット９角部の直角を維持させる為に効果が出る斜め補強図１５で示す２０が、被装着体のパレット９を囲む辺側となるパレット枠の支柱図７で示す１０間の外周辺側より、支柱下部固定器具図１５の角の対角線に添う対辺の位置までそれぞれ接合される形を特徴とする構造にした効果で、課題３の、従来の技術では、木製パレットは面板が並列に張りつけてある為、衝撃によって菱形に変形する度合いが高いので、その変形負荷が使用頻度に比例して、支柱の密着度を劣化させる影響もあり、使用頻度の多いパレット枠ほど、支柱の揺れが大きくなる現象がある為、パレットとリフトが衝突しても変形し難いパレットの強度が強化されるパレット枠が必要とされている。が、解決される。
【発明を実施するための最良の形態】
【００２５】    本願発明の実施例として、以下に図面を参照しながら詳細に説明する。【００２６】    本願発明の請求項１のパレット枠は、パレット９の外周角部に立説される４本のアングル型支柱図１、２、３、４で示す１、又は、図７、８で示す１０での、上部では、上部ポケット５に上部固定器具８の爪部が入って固定され、下部では、支柱図１、２で示す１の下部ポケット４に、爪部付き支柱下部固定器具の爪部図５で示す２１が入って固定される。又は、下部ポケットが無い場合は、図７で示すように支柱外周側より圧着可能な調整可能支柱下部固定器具１１又は、図１５で示す調整不可支柱下部固定器具１９で固定されるパレット枠において、当該の支柱図７で示す１０では、支柱側に設けられた定礎となるパレット押え板図１、図７で示す７で、被装着体のパレット９の四隅の上面を足場にして立説されるが、厚さが異なるパレットにも同じ場所にある直角側面へ密着可能とする為、当該パレット９の下敷きとなる支柱下部板図１９、２０で示す２Ｋを除去した形にして且つ、支柱図１で示す１又は、図７で示す１０の下部では、当該パレット９の直角側面に密着する部分を、それぞれの支柱下部固定器具で圧着効果が出せる寸法の形を特徴とする構造にしたので、図５、１１、１３、１５で示す支柱下部固定器具等では、被装着体のパレット９の厚さが異なっていても、パレット枠は一種類で共用もできる最良な形態になる。【００２７】    本願発明の請求項２のパレット枠は、パレット９の外周角部に立説される４本のアングル型支柱図１、２、３、４で示す１、又は、図７、８で示す１０での、上部では、上部ポケット５に上部固定器具８の爪部が入って固定され、下部では、支柱図１、２で示す１の下部ポケット４に爪部が入って固定されるパレット枠において、支柱の下部を固定するための当該の爪部付き支柱下部固定器具図５では、パレット９の直角側面と支柱図１で示す１、又は、図７で示す１０の密着度を調整できるように、それぞれの連結バ−図５で示す２の両端に爪部２１と雄ネジ２２、爪部２１と雌ネジ２３をそれぞれ接合して、組立て時は掴んだ爪部２１の回転が接合されたネジ部によって、当該器具図５で示す２の結合とパレット９の直角側面と支柱１を密着させる有効距離の調整ができ、装着中はその爪部２１がポケット４に差し込まれているために、装着中はネジ部の回転ができなくなるとともに、必要時に、現場で揺れを小さくする微調整が可能な構造の最良な形態になる。【００２８】    本願発明の請求項３のパレット枠は、パレット９の外周角部に立説される４本のアングル型支柱図１、２、３、４で示す１、又は、図７、８で示す１０での、上部では、上部ポケット５に上部固定器具８の爪部が入って固定され、下部では、下部ポケットが無い場合は支柱外周側より支柱下部固定器具が圧着して固定されるパレット枠において、調整可能支柱下部固定器具が二分される当該器具図１１で示す１１の結合部となるそれぞれの端末に、結合と調整用の雌ネジ図１２で示す１４、１５と合う、雄ネジがそれぞれ接合され、当該器具１１の結合とパレット９の直角側面と支柱１０の密着度を調整するための当該の板付き調整ネジ図１１、１２で示す１３では、左右が逆ネジとなって��る二種類の雌ネジ図１２で示す１４、１５をハンドルとなる板部に直列となる形で接合して、未装着時だけ別途の道具が無くてもその板部１３を掴んでの回転で、パレット９の直角側面と支柱１０を密着させる有効距離の調整ができ、装着中はハンドルとなる板部１３が被装着体のパレット９に当接してネジ部の回転ができなくなる形を特徴とする構造にしたので、別途の道具を使わなくても、必要時に現場で、揺れを小さくする微調整が可能、且つ、装着中はネジ部の回転ができない最良な形態になる。
特徴とした構造のパレット枠になる。【００２９】    本願発明の請求項４のパレット枠は、パレット９の外周角部に立説される４本のアングル型支柱図１、２、３、４で示す１、又は、図７、８で示す１０での、上部では、上部ポケット５に上部固定器具８の爪部が入って固定され、下部では、下部ポケットが無い場合は支柱外周側より支柱下部固定器具が圧着して固定されるパレット枠において、調整可能支柱下部固定器具が二分される当該器具図１１で示す１１の結合部となるそれぞれの端末に、結合と調整用の雌ネジ図１２で示す１４、１５と合う、雄ネジがそれぞれ接合され当該器具１１の結合とパレット９の直角側面と支柱１０の密着度を調整するために、左右が逆ネジとなっている二種類の雌ネジ図１２で示す１４、１５をハンドルとなる板部に直列となる形で接合して、未装着時だけ別途の道具が無くてもその板部１３を掴んでの回転で、パレット９の直角側面と支柱１０を密着させる有効距離の調整ができ、装着中はハンドルとなる板部１３が被装着体のパレット９に当接してネジ部の回転ができなくなる請求項３の板付き調整ネジ図１２で示す１３を、分解時に二分した当該器具図１３のそれぞれ片側の結合部端末に、一つずつ付いたままとなる形に変更した当該の板付き非対称調整ネジ図１４で示す１６では、片側のネジ１７と背反する反対側の逆ネジ１８において、片側だけネジの有効距離に差を付ける。又は、片側だけネジピッチが異なる非対称となる形を特徴とする構造にしたので、別途の道具を使わなくても、必要時に現場で、揺れを小さくする微調整が可能、且つ、分解時に多発する当該部品の散逸を防止できる最良な形態になる。【００３０】    本願発明の請求項５のパレット枠は、パレット９の外周角部に立説される４本のアングル型支柱図１、２、３、４で示す１、又は、図７、８で示す１０での、上部では、上部ポケット５に上部固定器具８の爪部が入って固定され、下部では、下部ポケットが無い場合は支柱外周側より支柱下部固定器具が圧着して固定されるパレット枠において、調整可能支柱下部固定器具が二分される当該器具図１１で示す１１の結合部となるそれぞれの端末に、結合と調整用の雌ネジ図１２で示す１４、１５、又は、図１４で示す１７、１８と合う、雄ネジがそれぞれ接合され、当該器具１１の結合とパレット９の直角側面と支柱１０の密着度を調整するための調整ネジとして、左右が逆ネジとなっている二種類の雌ネジ図１２で示す１４、１５、又は、図１４で示す１７、１８をハンドルとなる板部に直列となる形で接合して、未装着時だけ別途の道具が無くてもその板部１３、又は、１６を掴んでの回転で、パレット９の直角側面と支柱１０を密着させる有効距離の調整ができ、装着中はハンドルとなる板部１３が被装着体のパレット９に当接してネジ部の回転ができなくなる当該の調整可能支柱下部固定器具では、調整ネジ二組で、二分された当該器具の結合とパレット９の直角側面と支柱１又は１０の密着度を調整するために、請求項３の板付き調整ネジ図１２で示す１３、又は、請求項４の板付き非対称調製ネジ図１４で示す１６の回転動作による張力が、それぞれの当該器具図１１、図１３で示すの角の対角線に添う形にある、斜め補強１２を伝わって���当該の対辺にもその張力が働く位置まで斜め補強１２がそれぞれ接合されて、二分される器具の結合部となるそれぞれの端末に、一つずつの調製ネジで結合させて一体となる形を特徴とする構造にしたので、別途の道具を使わなくても、必要時に現場で揺れを小さくする微調整が可能、且つ、二組の調整ネジだけで、当該の調整可能支柱下部固定器具の結合と調整ができる最良な形態になる。【００３１】    本願発明の請求項６のパレット枠は、パレット９の外周角部に立説される４本のアングル型支柱図１、２、３、４で示す１、又は、図７、８で示す１０での、上部では、上部ポケット５に上部固定器具８の爪部が入って固定され、下部では、下部ポケットが無い場合は支柱外周側より支柱下部固定器具が圧着して固定されるパレット枠において、当該の補強付き調整不可支柱下部固定器具図１５で示す１９では、パレット枠の支柱１０が密着するパレット９角部の直角を維持させる為に効果が出る、斜め補強図１５で示す２０が、被装着体のパレット９を囲む辺側となるパレット枠の支柱図７で示す１０間の外周辺側より支柱下部固定器具図１５の角の対角線に添う対辺の位置まで、それぞれ接合される形を特徴とする構造にしたので、パレットとリフトが衝突しても変形し難いパレットの強度が強化されるパレット枠とした最良な形態になる。
【図面の簡単な説明】
【００３２】
【図１】    本願発明の、上部及び下部にポケット付き支柱で組立て完了した、複数の異寸法パレットにも装着可能なパレット枠の全体斜視図。
【図２】    本願発明の請求項１に当る、パレット枠部品の上部及び下部にポケット付き支柱の斜視図。
【図３】    本願発明の、上部及び下部にポケット付き支柱で組立て完了したパレット枠図の、右側は半正面図、左側は図１で示すＸ−Ｘ線断面図。
【図４】    本願発明の、上部及び下部にポケット付き支柱で組立て完了した、複数の異寸法パレットにも装着可能なパレット枠の支柱下部図１で示すＹ−Ｙ線断面部分図。
【図５】    本願発明の請求項２に当る、パレット枠部品の爪部付き支柱下部固定器具の正面図。
【図６】    本願発明の請求項２に当る、パレット枠部品の爪部付き支柱下部固定器具の調整ネジ部分断面正面図。
【図７】    本願発明の、下部ポケット無し支柱で組立て完了した、複数の異寸法パレットにも装着可能なパレット枠の全体斜視図。
【図８】    本願発明の請求項１に当る、パレット枠部品の下部ポケット無し支柱の斜視図。
【図９】    本願発明の、下部ポケット無し支柱で組立て完了したパレット枠図の、右側は半正面図、左側は図７で示すＸ−Ｘ線断面図。
【図１０】    図の左側は、図９で示す、左側の支柱下部の部分断面図。右側は、図９で示す、右側の支柱下部の部分正面図。
【図１１】    本願発明の請求項３、５に当る、パレット枠部品の調整可能な支柱下部固定器具の全体斜視図。
【図１２】    本願発明の請求項３に当る、パレット枠部品の調整可能な支柱下部固定器具の板付き調整ネジ部分断面正面図。
【図１３】    本願発明の請求項４に当る、パレット枠部品の板付き非対称調整ネジ付き支柱下部固定器具の二分時全体斜視図。
【図１４】    本願発明の請求項４に当る、パレット枠部品の調整可能な支柱下部固定器具の板付き非対称調整ネジ部内断面正面図。
【図１５】    本願発明の請求項６に当る、パレット枠部品の補強付き調整不可支柱下部固定器具の全体斜視図。
【図１６】    従来技術の特開２０００−９５２４４、発明の名称、パレットサポ−タ−部品である支柱下部固定器具斜視図。
【図１７】    従来技術の平５−７１５０、発明の名称、荷役用パレット枠の組立て完了の全体斜視図。
【図１８】    従来技術の平５−７１５０、発明の名称、荷役用パレット枠部品である、支柱下部固定器具斜視図。
【図１９】    従来技術の特願２００５−８７０６０、発明の名称、荷物積載中でも分離可能なパレット枠の組立て完了の全体斜視図。
【図２０】    従来技術の本願発明者と同じ発明者出願の、特願２００５−８７０６０、発明の名称荷物積載中でも分離可能なパレット枠の組立て完了の支柱下部図１９で示すＹ−Ｙ線断面部分図。
【符号の説明】
【００３３】  １    図１、２、３、４で示す支柱。
２    図１、３、４、５、６で示す下部固定連結バ−。
３    図１、３、５、６で示す調整ネジ。
４    図１、２、３、４で示す支柱下部ポケット。
５    図１、２、３、７、８、９で示す支柱上部ポケット。
６    図１、２、３、７、８、９で示す支柱上部板。
７    図１、３、４、７、８、１７、１９で示すパレット押え板。
８    図１、３、７で示す上部固定器具。
９    図１、３、４、７、９、１０、１７、１９、２０で示すパレット。
１０  図７、８、９、１０で示す支柱。
１１  図７、９、１０、１１、１２、１３、１４で示す調整可能支柱下部固定器具。
１２  図７、９、１１、１３で示す斜め補強。
１３  図９、１０１１、１２で示す板付き調整ネジ。
１４  図１２で示す雌ネジ。
１５  図１２で示す雌ネジ。
１６  図１３、１４で示す板付き非対称調整ネジ。
１７  図１４で示す雌ネジ。
１８  図１４で示す雌ネジ。
１９  図１５で示す調整不可支柱下部固定器具。
２０  図１５で示す調整不可支柱下部固定器具の斜め補強。
２１  図５で示す下部固定連結バ−爪部
２２  図６で示す支柱下部固定器具調整雄ネジ。
２３  図６で示す支柱下部固定器具調整雌ネジ。
１Ｓ  図１６で示す支柱下部固定器具。
２Ｓ  図１６で示す支柱下部固定器具落下防止材。
１Ｎ  図１７で示すパレット枠支柱。
２Ｎ  図１７で示す上部連結バ−。
３Ｎ  図１７で示す支柱上部止め。
４Ｎ  図１７で示す支柱上部ポケット。
５Ｎ  図１７、１８で示す支柱下部固定器具
６Ｎ  図１７で示す支柱下部固定器具止め具
７Ｎ  図１７で示す支柱下部板。
１Ｋ  図１９、２０で示す支柱。
２Ｋ  図１９、２０で示す支柱下部板。
３Ｋ  図１９、で示す支柱上部板。
【図１】
2007297136.tif 000004
【図２】
2007297136.tif 000005
【図３】
2007297136.tif 000006
【図４】
2007297136.tif 000007
【図５】
2007297136.tif 000008
【図６】
2007297136.tif 000009
【図７】
2007297136.tif 000010
【図８】
2007297136.tif 000011
【図９】
2007297136.tif 000012
【図１０】
2007297136.tif 000013
【図１１】
2007297136.tif 000014
【図１２】
2007297136.tif 000015
【図１３】
2007297136.tif 000016
【図１４】
2007297136.tif 000017
【図１５】
2007297136.tif 000018
【図１６】
2007297136.tif 000019
【図１７】
2007297136.tif 000020
【図１８】
2007297136.tif 000021
【図１９】
2007297136.tif 000022
【図２０】
2007297136.tif 000023